(57)【要約】【課題】  処理量が大きくなってしまう。【解決手段】  処理部２２は、アダプティブアレイ信号処理を実行せずに、信号を連続的に受信する。同期部２８は、受信した信号から、少なくともひとつの基地局装置からの制御信号を検出する。同期部２８は、検出した制御信号のタイミングを特定する。処理部２２は、アダプティブアレイ信号処理を実行しつつ、同期部２８において特定したタイミングをもとに、信号を間欠的に受信する。同期部２８、間欠的に受信した信号から、少なくともひとつの基地局装置からの制御信号を検出する。同期部２８は、検出した信号のうちの少なくともひとつに対するタイミングを特定する。【選択図】  図３
2006237936.tif 000002
【特許請求の範囲】
【請求項１】
アダプティブアレイ信号処理を実行せずに、信号を受信する受信部と、
前記受信部において受信した信号から、少なくともひとつの基地局装置からの信号を検出する信号検出部と、
前記信号検出部において検出した信号のタイミングを特定する特定部を備え、
前記受信部では、前記特定部によってタイミングが特定されると、特定されたタイミングをもとにした期間において、アダプティブアレイ信号処理の実行を開始し、
前記信号検出部は、前記受信部においてアダプティブアレイ信号処理した信号から、少なくともひとつの基地局装置からの信号を検出し、
前記特定部は、前記信号検出部において検出した信号のうちの少なくともひとつに対して、タイミングを再び特定することを特徴とするタイミング同期装置。
【請求項２】
基地局装置からの信号は、フレームを構成すべき複数のタイムスロットのいずれかに割り当てられており、
前記特定部は、複数のタイムスロットのそれぞれに対するタイミングを特定することを特徴とする請求項１に記載のタイミング同期装置。
【請求項３】
前記受信部においてアダプティブアレイ信号処理を実行すべき期間は、タイムスロットの先頭部分であることを特徴とする請求項２に記載のタイミング同期装置。
【請求項４】
前記信号検出部は、少なくともひとつの基地局装置からの信号を検出する際に、検出した信号に含まれた当該基地局装置の識別番号も検出し、
前記特定部は、前記信号検出部において検出した信号のうちの少なくともひとつに対して、タイミングを再び特定する際に、基地局装置の識別番号を使用しながら、当該タイミングに対応した基地局装置も特定することを特徴とする請求項１から３のいずれかに記載のタイミング同期装置。
【請求項５】
前記特定部において特定した基地局装置との通信を決定する決定部をさらに備えることを特徴とする請求項４に記載のタイミング同期装置。
【請求項６】
前記信号検出部は、
前記受信部において受信した信号を記憶する記憶部と、
前記記憶部において記憶した信号から、ユニークワードを検出するユニークワード検出部とを備え、
前記記憶部は、少なくともひとつのタイムスロットに含まれた信号を記憶可能な記憶領域を有しており、当該記憶領域に前記受信した信号を巡回的に上書きしながら記憶し、
前記ユニークワード検出部は、前記記憶領域を複数の領域に分割した場合のひとつの領域に含まれた信号のデータ量をひとつの検出単位として、ユニークワードを検出することを特徴とする請求項５に記載のタイミング同期装置。
【請求項７】
前記記憶部が有した記憶領域の記憶容量を略ひとつのタイムスロットに含まれた信号のデータ量にすることを特徴とする請求項６に記載のタイミング同期装置。
【請求項８】
アダプティブアレイ信号処理を実行せずに受信した信号から、少なくともひとつの基地局装置からの信号を検出し、検出した信号のタイミングを特定するタイミング同期方法であって、
タイミングが特定されると、特定されたタイミングをもとにした期間において、アダプティブアレイ信号処理の実行を開始しつつ、少なくともひとつの基地局装置からの信号を検出し、かつ検出した信号のうちの少なくともひとつに対して、タイミングを再び特定することを特徴とするタイミング同期方法。
【発明の詳細な説明】
【技術分野】
【０００１】
本発明は、タイミング同期技術に関し、特に受信した信号のタイミングを検出するタイミング同期方法および装置に関する。
【背景技術】
【０００２】
ＴＤＭＡ（Ｔｉｍｅ  Ｄｉｖｉｓｉｏｎ  Ｍｕｌｔｉｐｌｅ  Ａｃｃｅｓｓ）通信等では、一般的にひとつのフレームを分割する複数のタイムスロットを使用しながら、ディジタル情報を伝送する。このようなＴＤＭＡ通信の送信装置と受信装置の間でのタイミング同期の確立は、受信装置において、送信されたタイムスロット内に含まれたユニークワードを検出することによって実現される。携帯電話システムや第二世代コードレス電話システムのような移動通信システムの端末装置でも、基地局装置から送信されるユニークワードを検出している。これらのシステムにおいて、消費電力を低減させるために、非通信時に間欠受信する場合もある。さらに、消費電力の低減のために、高速かつ高精度の基準発振器と低速の基準発振器を備えており、通信処理の実行時には、高速かつ高精度の基準発振器によって受信した信号をサンプリングする。一方、待ち受け処理時には、低速の基準発振器によって受信した信号をサンプリングする（例えば、特許文献１参照。）。
【特許文献１】特開平８−３０７３０４号公報
【発明の開示】
【発明が解決しようとする課題】
【０００３】
移動通信システムの端末装置が起動された直後などに、端末装置は基地局装置とのタイミング同期を確立するために、前述のユニークワード検出を実行する。その際、端末装置は、信号の到来すべきタイミングを予想できないので、信号を連続的に受信する。さらに、端末装置は、連続的に受信した信号に対してユニークワード検出を実行する（以下、このようなユニークワード検出を「オープンサーチ」という）。オープンサーチは、連続して実行されるので、オープンサーチの処理量は、一般的にある程度大きくなる。また、端末装置に対して、アダプティブアレイ信号処理を適用すれば、端末装置での信号の受信特性が、アダプティブアレイ信号処理を適用しない場合と比べて改善する。一方、アダプティブアレイ信号処理でのウエイトベクトル導出の処理量は、一般的にある程度大きくなる。アダプティブアレイ信号処理を実行しながら、オープンサーチを実行すれば、ユニークワードの検出精度は改善する。しかしながら、処理量が大きくなってしまう。
【０００４】
本発明はこうした状況に鑑みてなされたものであり、その目的は、処理量の増加を抑えつつ、検出精度を改善させるタイミング同期技術を提供することにある。
【課題を解決するための手段】
【０００５】
上記課題を解決するために、本発明のある態様のタイミング同期装置は、アダプティブアレイ信号処理を実行せずに、信号を受信する受信部と、受信部において受信した信号から、少なくともひとつの基地局装置からの信号を検出する信号検出部と、信号検出部において検出した信号のタイミングを特定する特定部を備える。受信部では、前記特定部によってタイミングが特定されると、特定されたタイミングをもとにした期間において、アダプティブアレイ信号処理の実行を開始し、信号検出部は、前記受信部においてアダプティブアレイ信号処理した信号から、少なくともひとつの基地局装置からの信号を検出し、特定部は、前記信号検出部において検出した信号のうちの少なくともひとつに対して、タイミングを再び特定する。
【０００６】
この態様によると、第１段階として、アダプティブアレイ信号処理を実行せずに、連続的に受信した信号からタイミングを特定し、第２段階として、第１段階において特定したタイミングをもとに、アダプティブアレイ信号処理を実行しながら、間欠的に受信した信号からタイミングを特定するので、連続的な信号の検出とのタイミングをずらしつつ、アダプティブアレイ信号処理を実行できる。そのため、処理量の増加を抑えつつ、検出精度を改善できる。
【０００７】
基地局装置からの信号は、フレームを構成すべき複数のタイムスロットのいずれかに割り当てられており、特定部は、複数のタイムスロットのそれぞれに対するタイミングを特定してもよい。この場合、通信のためにタイムスロットが使用される場合であっても、タイムスロットのタイミングを特定するので、通信を実行できる。また、第二世代コードレス電話システムにおいて複数の基地局装置はフレーム同期されており、それぞれのタイムスロットのタイミングは、概ね同期しているので、少なくともひとつのタイムスロットのタイミングを特定することによって、通信を実行できる。
【０００８】
受信部においてアダプティブアレイ信号処理を実行すべき期間は、タイムスロットの先頭部分であってもよい。この場合、特定したタイムスロットのタイミングから、フレーム同期の誤差、クロックの精度、送出タイミングの精度、伝搬遅延などの要因に応じた程度だけ離れたタイミングにおいて、受信を実行しないので、処理量の増加を抑えることができる。また、タイムスロットの先頭部分以外において、アダプティブアレイ信号処理を実行しないので、処理量の増加を抑えることができる。
【０００９】
信号検出部は、少なくともひとつの基地局装置からの信号を検出する際に、検出した信号に含まれた当該基地局装置の識別番号も検出し、特定部は、信号検出部において検出した信号のうちの少なくともひとつに対して、タイミングを再び特定する際に、基地局装置の識別番号を使用しながら、当該タイミングに対応した基地局装置も特定してもよい。この場合、タイミングの特定を行いつつ、当該タイミングに対応した基地局装置も特定できる。また、信号検出部は、少なくともひとつの基地局装置からの信号を検出する際に、検出した信号に対する信号強度を測定し、特定部は、測定した信号強度をもとに、基地局装置を特定してもよい。
【００１０】
特定部において特定した基地局装置との通信を決定する決定部をさらに備えてもよい。この場合、タイミング同期を確立した後の通信の段階に進行できる。
【００１１】
信号検出部は、受信部において受信した信号を記憶する記憶部と、記憶部において記憶した信号から、ユニークワードを検出するユニークワード検出部とを備えてもよい。記憶部は、少なくともひとつのタイムスロットに含まれた信号を記憶可能な記憶領域を有しており、当該記憶領域に受信した信号を巡回的に上書きしながら記憶し、ユニークワード検出部は、記憶領域を複数の領域に分割した場合のひとつの領域に含まれた信号のデータ量をひとつの検出単位として、ユニークワードを検出してもよい。この場合、記憶領域の記憶容量が小さくても、ユニークワードの検出単位は当該記憶容量よりもさらに小さいので、ユニークワード検出処理を高速に実行でき、記憶容量を小さくさせつつ、ユニークワードの検出精度の低下を防止できる。
【００１２】
記憶部が有した記憶領域の記憶容量を略ひとつのタイムスロットに含まれた信号のデータ量にしてもよい。「略ひとつのスロット」とは、ひとつのタイムスロットのデータ量だけでなく、ひとつのタイムスロットのデータ量に対して、処理遅延を考慮したデータ量を加算したデータ量も含む。この場合、略ひとつのタイムスロットに含まれた信号のデータ量を単位にするので、処理を簡易にできる。
【００１３】
本発明の別の態様は、タイミング同期方法である。この方法は、アダプティブアレイ信号処理を実行せずに受信した信号から、少なくともひとつの基地局装置からの信号を検出し、検出した信号のタイミングを特定するタイミング同期方法であって、タイミングが特定されると、特定されたタイミングをもとにした期間において、アダプティブアレイ信号処理の実行を開始しつつ、少なくともひとつの基地局装置からの信号を検出し、かつ検出した信号のうちの少なくともひとつに対して、タイミングを再び特定する
【００１４】
本発明の別の態様もまた、タイミング同期方法である。この方法は、アダプティブアレイ信号処理を実行せずに、信号を受信するステップと、受信した信号から、少なくともひとつの基地局装置からの信号を検出しつつ、検出した信号のタイミングを特定するステップと、タイミングが特定されると、特定されたタイミングをもとにした期間において、アダプティブアレイ信号処理の実行を開始するステップと、アダプティブアレイ信号処理した信号から、少なくともひとつの基地局装置からの信号を検出しつつ、検出した信号のうちの少なくともひとつに対して、タイミングを再び特定するステップと、を備える。
【００１５】
基地局装置からの信号は、フレームを構成すべき複数のタイムスロットのいずれかに割り当てられており、検出した信号のタイミングを特定するステップは、複数のタイムスロットのそれぞれに対するタイミングを特定してもよい。アダプティブアレイ信号処理の実行を開始するステップにおいてアダプティブアレイ信号処理を実行すべき期間は、タイムスロットの先頭部分であってもよい。検出した信号のタイミングを特定するステップは、少なくともひとつの基地局装置からの信号を検出する際に、検出した信号に含まれた当該基地局装置の識別番号も検出し、タイミングを再び特定するステップは、基地局装置の識別番号を使用しながら、当該タイミングに対応した基地局装置も特定してもよい。
【００１６】
タイミングを再び特定するステップにおいて特定した基地局装置との通信を決定するステップをさらに備えてもよい。検出した信号のタイミングを特定するステップは、受信した信号をメモリに記憶するステップと、メモリに記憶した信号から、ユニークワードを検出するステップとを備え、記憶するステップは、少なくともひとつのタイムスロットに含まれた信号を記憶可能な記憶領域を有したメモリに対して、当該記憶領域に受信した信号を巡回的に上書きしながら記憶し、ユニークワードを検出するステップは、記憶領域を複数の領域に分割した場合のひとつの領域に含まれた信号のデータ量をひとつの検出単位として、ユニークワードを検出してもよい。記憶するステップでのメモリが有した記憶領域の記憶容量を略ひとつのタイムスロットに含まれた信号のデータ量にしてもよい。
【００１７】
なお、以上の構成要素の任意の組合せ、本発明の表現を方法、装置、システム、記録媒体、コンピュータプログラムなどの間で変換したものもまた、本発明の態様として有効である。
【発明の効果】
【００１８】
本発明によれば、処理量の増加を抑えつつ、検出精度を改善できる。
【発明を実施するための最良の形態】
【００１９】
（実施例１）
本発明を具体的に説明する前に、概要を述べる。本発明の実施例１は、第２世代コードレス電話システムの端末装置に対応する。端末装置は、基地局装置とのタイミング同期を確立するために、オープンサーチを実行する。また、端末装置は、複数のアンテナを備えており、複数のアンテナによって、アダプティブアレイ信号処理を実行する。本実施例に係る端末装置は、オープンサーチとアダプティブアレイ信号処理による処理量の増加を抑制するために、以下のように動作する。端末装置は、複数のアンテナのうち、ひとつを有効にして、すなわち無指向性のアンテナ特性を実現しながら、オープンサーチを実行する。オープンサーチによって所定の基地局装置からの信号を受信すれば、端末装置は、それらの信号に対するタイミングを特定する。
【００２０】
端末装置は、特定したタイミングから同期窓を設定し、設定した同期窓の期間において、アダプティブアレイ信号処理を実行しながら、信号を受信する（以下、これを「アレイサーチ」という）。アレイサーチによって所定の基地局装置からの信号を受信すれば、端末装置は、そのうちのひとつの信号に対するタイミングを特定する。また、特定したタイミングに対応した基地局装置との通信を決定する。なお、一般的に、オープンサーチの期間は、所定の値（以下、「第１期間」という）に規定されている。そのため、端末装置は、第１期間よりも短い期間（以下、「第２期間」という）を規定し、端末装置は、第２期間以下の期間において、オープンサーチを実行する。その結果、端末装置は、第１期間の間にオープンサーチとアレイサーチを終了する。このように、通信システムにおいて規定されたオープンサーチの期間に、オープンサーチとアレイサーチを実行するので、処理量の増加を抑えつつ、検出精度を改善できる。
【００２１】
図１は、実施例１に係る通信システム１００の構成を示す。通信システム１００は、端末装置１０、基地局装置１４と総称される第１基地局装置１４ａ、第２基地局装置１４ｂ、第３基地局装置１４ｃ、第４基地局装置１４ｄを含む。また、端末装置１０は、アンテナ１２と総称される第１アンテナ１２ａ、第２アンテナ１２ｂ、第４アンテナ１２ｄを含む。
【００２２】
端末装置１０は、複数の基地局装置１４のうちのいずれか、あるいはふたつ以上の基地局装置１４と通信をするために、基地局装置１４のタイミングとの同期をはかる。しかしながら、初期の状態において、端末装置１０は、いずれの基地局装置１４ともタイミング同期を確立していないので、前述のオープンサーチを実行する。ここでは、説明を明瞭にするために、端末装置１０は、複数の基地局装置１４のうちのいずれかと通信を行うものとする。前提として、基地局装置１４からの信号は、フレームを構成すべき複数のタイムスロット（以下、「スロット」という）のいずれかに割り当てられているものとする。また、複数の基地局装置１４の間において、フレーム同期が確立しているものとする。
【００２３】
図２（ａ）−（ｂ）は、フレームの構成とスロットの構成を示す。図２（ａ）は、第二世代コードレス電話システムのフレームの構成であって、ひとつのフレームは、８個のスロットを含む。８個のスロットのうちスロット１からスロット４は、下り回線の信号として使用され、一方、スロット５からスロット８は、上り回線の信号として使用される。ここで、下り回線のスロット１からスロット４のうち、スロット１が制御信号を伝送する。図２（ｂ）は、スロット１の構成を示す。ここで、「Ｒ」はランプビットを示し、「ＳＳ」はスタートシンボルを示し、「ＰＲ」はプリアンブルを示し、「ＵＷ」はユニークワードを示し、「ＣＡＣ」は制御信号を示し、「ＣＲＣ」はＣＲＣ符号を示し、「Ｇ」はガードビットを示す。
【００２４】
なお、これらの記号の下に記載された数字は、それぞれに割り当てられたビット数を示す。図示の通り、ひとつのスロットは、「２４０ビット」のデータを含み、これは「１２０シンボル」のデータに相当する。そのため、ＡＤ変換される際の量子化ビット数を８ビットとすれば、１フレームあたりのデータ量は、１５３６０ビットになる。一方、１スロットあたりのデータ量は、１９２０ビットになる。図１の端末装置１０は、オープンサーチ時、およびアレイサーチ時に複数の基地局装置１４から送信されるフレームの中から、スロット１に含まれたユニークワードを検出して、当該ユニークワードを含んだスロットを送信した基地局装置１４とのタイミング同期を確立する。
【００２５】
図１に戻る。端末装置１０は、オープンサーチを実行した後に、アレイサーチを実行する。アレイサーチの結果、端末装置１０は、複数の基地局装置１４のうちのいずれかとのタイミング同期を確立する。さらに、当該基地局装置１４との通信を決定する。ここで、基地局装置１４との通信を確立させるための手順は、公知の技術であるので、説明を省略する。なお、複数の基地局装置１４は、図示しないネットワークに接続されている。
【００２６】
図３は、端末装置１０の構成を示す。端末装置１０は、アンテナ１２と総称される第１アンテナ１２ａ、第２アンテナ１２ｂ、第４アンテナ１２ｄ、無線部２０と総称される第１無線部２０ａ、第２無線部２０ｂ、第４無線部２０ｄ、処理部２２、変復調部２４、ＩＦ部２６、同期部２８、制御部３０を含む。また信号として、無線部側信号２００と総称される第１無線部側信号２００ａ、第２無線部側信号２００ｂ、第４無線部側信号２００ｄ、変復調部側信号２０２、復調信号２２０、タイミング情報信号２２２を含む。
【００２７】
アンテナ１２は、受信動作として、図示しない基地局装置１４から無線周波数の信号を受信する。また、アンテナ１２は、送信動作として、図示しない基地局装置１４へ無線周波数の信号を送信する。なお、受信動作と送信動作のタイミングは、後述の制御部３０によって制御される。アンテナ１２は、アダプティブアレイアンテナ技術に対応しており、アンテナの指向性は、後述の処理部２２によって制御される。ここで、アンテナ１２の数を「４」とするが、これ以外の数であってもよい。
【００２８】
無線部２０は、受信動作として、アンテナ１２において受信した無線周波数の信号を周波数変換し、ベースバンドの信号を導出する。無線部２０は、ベースバンドの信号を無線部側信号２００として処理部２２に出力する。一般的に、ベースバンドの信号は、同相成分と直交成分によって形成されるので、ふたつの信号線によって伝送されるべきであるが、ここでは、図を明瞭にするためにひとつの信号線として示すものとする。また、ＡＧＣやＡ／Ｄ変換部も含まれる。無線部２０は、送信動作として、処理部２２からのベースバンドの信号を周波数変換し、無線周波数の信号を導出する。ここで、処理部２２からのベースバンドの信号も無線部側信号２００として示す。無線部２０は、無線周波数の信号をアンテナ１２に出力する。また、ＰＡ（Ｐｏｗｅｒ  Ａｍｐｌｉｆｉｅｒ）、Ｄ／Ａ変換部も含まれる。
【００２９】
処理部２２は、オープンサーチの期間において、アダプティブアレイ信号処理を実行せずに、基地局装置１４からの信号、ここでは無線部側信号２００を連続的に入力する。すなわち、処理部２２は、複数の無線部側信号２００のうちのいずれかを有効にして、それを変復調部側信号２０２として、変復調部２４に出力する。このような処理は、複数の無線部側信号２００に対するウエイトベクトルにおいて、ひとつ以外の無線部側信号２００に対する値を「０」とすることに相当する。その結果、オープンサーチの期間において、変復調部側信号２０２は、無指向性のアンテナによって受信した結果と等価になる。
【００３０】
処理部２２は、アレイサーチの期間において、アダプティブアレイ信号処理を実行しつつ、無線部側信号２００を入力する。このとき、後述の制御部３０によって指定されたタイミングにおいて、無線部側信号２００を連続的に入力する。なお、無線部側信号２００が入力されるタイミングは、制御信号が割り当てられたスロットのタイミングに相当する。処理部２２は、アダプティブアレイ信号処理の結果を変復調部側信号２０２として出力する。
【００３１】
処理部２２は、アレイサーチの期間終了後、通信における受信動作として、複数の無線部側信号２００に対して、アダプティブアレイ信号処理を実行する。また、処理部２２は、送信動作として、変復調部２４から入力した変復調部側信号２０２に対してアダプティブアレイ信号処理を実行する。さらに、処理部２２は、アダプティブアレイ信号処理した信号を無線部側信号２００として出力する。
【００３２】
変復調部２４は、受信処理として、処理部２２からの変復調部側信号２０２に対して、復調を実行する。変復調部２４は、復調した信号を復調信号２２０として、ＩＦ部２６に出力する。また、変復調部２４は、送信処理として、変調を実行する。変復調部２４は、変調した信号を変復調部側信号２０２として処理部２２に出力する。ここで、変調方式には、第二世代コードレス電話システムに対応したπ／４シフトＱＰＳＫ（Ｑｕａｄｒａｔｕｒｅ  Ｐｈａｓｅ  Ｓｈｉｆｔ  Ｋｅｙｉｎｇ）を使用する。一方、復調は、遅延検波あるいは同期検波を行う。
【００３３】
ＩＦ部２６は、図示しない表示部や図示しない入力部と接続し、受信処理として、復調信号２２０を図示しない表示部に出力する。また、ＩＦ部２６は、送信処理として、図示しない入力部からデータを入力し、これを変復調部２４に出力する。なお、音声通信の場合、ＩＦ部２６は、図示しないマイクやスピーカとのインターフェースになる。
【００３４】
同期部２８は、復調信号２２０を入力する。オープンサーチの期間において、同期部２８は、連続的に入力した復調信号２２０から、少なくともひとつの基地局装置１４からの制御信号を検出する。制御信号の検出のために、同期部２８は、ユニークワードを予め保持しており、保持したユニークワードと入力した復調信号２２０との相関を計算する。さらに、同期部２８は、相関値のピークをしきい値と比較し、しきい値を超えた場合に、制御信号を検出したとする。なお、制御信号の「ＣＡＣ」には、当該制御信号を送信した基地局装置１４の識別番号（以下、「ＩＤ」という）が含まれており、同期部２８は、制御信号を検出する際にＩＤも検出する。同期部２８は、予め定めた数だけ制御信号を検出するまで以上の処理を実行し、予め定めた数だけ制御信号を検出すると、オープンサーチを終了する。また、同期部２８は、予め定めた数だけ制御信号を検出しない場合であっても、第２期間になれば、オープンサーチを終了する。なお、同期部２８は、検出した信号の強度を測定し、これを記憶する。ただし、同期部２８は、オープンサーチによって制御信号をひとつも検出できないとき、第１期間まで、オープンサーチを継続する。
【００３５】
さらに、オープンサーチの期間において、同期部２８は、検出した制御信号のタイミングを特定する。タイミングは、前述の相関値のピークに対応したタイミングを検出することによって、特定される。さらに、同期部２８は、特定したタイミングから、複数のスロットのそれぞれに対するタイミングも特定する。すなわち、相関値のピークに対応したタイミングは、図２（ｂ）のＵＷのタイミングに相当するので、これをスロットに対するタイミングに変換する。例えば、ＵＷのタイミングを前方にシフトすることによって、スロットに対するタイミングを特定する。
【００３６】
図４は、同期部２８に記憶された情報のデータ構造を示す。データは、Ｎｏ．欄１５０、タイミング欄１５２、ＩＤ欄１５４、受信レベル欄１５６によって構成される。Ｎｏ．欄１５０は、検出した制御信号に対して付与した番号を示す。タイミング欄１５２は、制御信号を割り当てたスロットのタイミングを示す。なお、タイミングは、「Ａ」から「Ｆ」と示されているが、実際はタイミングを示す数値が入るものとする。ＩＤ欄１５４は、当該制御信号を送信した基地局装置１４のＩＤを示す。同期部２８は、タイミング欄１５２に含まれたタイミングでのサーチを決定し、その旨をタイミング情報信号２２２として出力する。すなわち、タイミング欄１５２に含まれたタイミングに対応したスロットが、アレイサーチの対象となる。また、受信レベル欄１５６は、同期部２８において検出された信号の強度を示す。
【００３７】
図３に戻る。アレイサーチの期間においても、同期部２８は、復調信号２２０を入力する。また、同期部２８は、復調信号２２０から、少なくともひとつの基地局装置１４からの制御信号を検出する。検出は、スロットの先頭部分（以下、「同期窓」ともいう））においてなされる。このようなスロットの先頭部分は、特定したタイミングをもとにした期間といえる。オープンサーチによってスロットのタイミング同期がある程度なされているので、アレイサーチの期間を限定できる。アレイサーチの期間において、制御信号を検出するタイミングが、オープンサーチの期間でのタイミングと異なるが、検出方法等は、オープンサーチの場合と同一である。同期部２８は、アレイサーチの結果、検出した制御信号のうちのひとつを選択し、選択した制御信号に対するタイミングを再び特定する。選択は、例えば、制御信号の信号強度にもとづいて行う。そのとき、同期部２８は、信号強度が最大となる制御信号を選択する。その際、前述の記憶した信号の強度を使用する。
【００３８】
タイミングの特定は、オープンサーチの場合と同様に実行される。なお、端末装置１０が複数の基地局装置１４と通信する場合、同期部２８は、複数の制御信号を選択し、それらに対するタイミングを特定する。同期部２８は、タイミングを特定する際に、ＩＤを使用しながら、当該タイミングに対応した基地局装置１４も特定する。同期部２８は、特定したタイミングおよび基地局装置１４をタイミング情報信号２２２として出力する。なお、アレイサーチは、少なくとも第１期間になれば、終了する。
【００３９】
制御部３０は、端末装置１０に含まれた構成要素の動作を制御する。オープンサーチが終了するときに、制御部３０は、タイミング情報信号２２２を介して、タイミングを取得する。さらに、制御部３０は、当該タイミング、特にスロットの先頭部分での動作を処理部２２に指示する。また、制御部３０は、処理部２２にアダプティブアレイ信号処理の実行を指示する。一方、アレイサーチが終了するときに、制御部３０は、タイミング情報信号２２２を介して、通信対象にすべき基地局装置１４と当該基地局装置１４に対するタイミングを取得する。制御部３０は、当該基地局装置１４との通信を決定し、当該基地局装置１４との通信を実行するように、端末装置１０に含まれた構成要素の動作を制御する。
【００４０】
この構成は、ハードウエア的には、任意のコンピュータのＣＰＵ、メモリ、その他のＬＳＩで実現でき、ソフトウエア的にはメモリのロードされたタイミング同期機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４１】
図５は、処理部２２の構成を示す。処理部２２は、合成部４２、参照信号生成部４４、受信ウエイトベクトル計算部５４、分離部４６、送信ウエイトベクトル計算部５２を含む。また、合成部４２は、乗算部５６と総称される第１乗算部５６ａ、第２乗算部５６ｂ、第４乗算部５６ｄ、加算部６０を含む。また、分離部４６は、乗算部５８と総称される第１乗算部５８ａ、第２乗算部５８ｂ、第４乗算部５８ｄを含む。
【００４２】
乗算部５６は、受信ウエイトベクトル計算部５４からの受信ウエイトベクトルによって、無線部側信号２００のそれぞれを重み付けし、加算部６０は乗算部５６の出力を加算する。ここで、加算された信号が、変復調部側信号２０２として示される。なお、乗算部５６と加算部６０の処理が、重み付けを行いながらの合成に相当する。なお、前述のごとく、オープンサーチの期間においては、受信ウエイトベクトルのうちのひとつだけが有効であるので、第１乗算部５６ａだけが、無線部側信号２００を出力する。また、加算部６０は、入力した無線部側信号２００をそのまま出力する。その結果、オープンサーチの期間において、変復調部側信号２０２は、第１無線部側信号２００ａに等しくなる。
【００４３】
参照信号生成部４４は、トレーニング信号の期間中において予め記憶したトレーニング信号を参照信号として出力する。またこれらの期間以外は、予め規定しているしきい値によって、変復調部側信号２０２を判定し、その結果を参照信号として出力する。なお、判定は硬判定でなく、軟判定でもよい。ここで、図２（ｂ）のごとく、端末装置との通信は、所定のスロットにおいてなされる。第二世代コードレス電話システムでは、スロットの先頭部分にプリアンブルが配置される。プリアンブルは、既知の信号であるので、トレーニング信号に相当する。
【００４４】
受信ウエイトベクトル計算部５４は、無線部側信号２００、変復調部側信号２０２、参照信号にもとづいて、受信ウエイトベクトルを導出する。受信ウエイトベクトルの導出方法は、任意のものでよく、そのひとつはＬＭＳ（Ｌｅａｓｔ  Ｍｅａｎ  Ｓｑｕｅａｒｅ）アルゴリズムによる導出である。
【００４５】
送信ウエイトベクトル計算部５２は、受信ウエイトベクトルから、変復調部側信号２０２の重み付けに必要な送信ウエイトベクトルを推定する。送信ウエイトベクトルの推定方法は、任意とするが、最も簡易な方法として、受信ウエイトベクトルをそのまま使用すればよい。あるいは、受信処理と送信処理との時間差によって生じる伝搬環境のドップラー周波数変動を考慮し、従来の技術によって、受信ウエイトベクトルを補正してもよい。なお、ここでは、受信ウエイトベクトルをそのまま送信ウエイトベクトルに使用するものとする。なお、オープンサーチとアレイサーチの期間においては信号を送信しないので、送信ウエイトベクトル計算部５２は、通信が開始されてから動作する。乗算部５８は、送信ウエイトベクトルによって、変復調部側信号２０２を重み付けし、その結果を無線部２０に出力する。
【００４６】
図６は、同期部２８の構成を示す。同期部２８は、信号検出部１１０、ＩＤ取得部１１２、カウンタ１１４、特定部１１６を含む。信号検出部１１０は、復調信号２２０から制御信号、特にユニークワードを検出する。前述のごとく、信号検出部１１０は、相関によって、制御信号の検出を実行する。信号検出部１１０は、制御信号を検出したとき、その旨を特定部１１６に通知する。以上の処理は、オープンサーチの期間において、連続して実行されるが、アレイサーチの期間において、スロットの先頭部分にて実行される。
【００４７】
カウンタ１１４は、復調信号２２０のサンプリングレートに対応したタイミングにおいて、カウントアップを実行する。カウンタ１１４は、所定の周期でカウントアップした値をリセットするが、所定の周期を整数倍した期間が、ひとつのフレームの期間に相当する方が望ましい。以上の処理は、オープンサーチとアレイサーチに関係なく、実行される。
【００４８】
ＩＤ取得部１１２は、復調信号２２０から、基地局装置１４のＩＤを取得する。すなわち、ＩＤ取得部１１２は、前述のごとく、図２（ｂ）の「ＣＡＣ」からＩＤを取得する。そのために、信号検出部１１０から制御信号の検出を取得し、「ＣＡＣ」のタイミングを特定する。
【００４９】
特定部１１６は、信号検出部１１０から制御信号の検出を通知されたときに、カウンタ１１４からカウントアップの値を取得する。すなわち、制御信号の検出時におけるカウントアップの値を前述のタイミングとして特定する。さらに、特定部１１６は、特定したタイミングから、スロットのタイミングを特定する。また、特定部１１６は、特定したタイミングに対応した基地局装置１４のＩＤをＩＤ取得部１１２から受けつける。以上の処理は、オープンサーチとアレイサーチに関係なく、実行される。オープンサーチの場合に、これらの情報にもとづいて、特定部１１６は、図４に示したデータを記憶する。
【００５０】
また、検出された制御信号の数、あるいはオープンサーチの期間から、特定部１１６は、オープンサーチの終了を決定する。さらに、オープンサーチの終了を決定したときに、特定部１１６は、オープンサーチの終了、すなわちアレイサーチの開始をタイミング情報信号２２２として出力する。一方、アレイサーチの場合に、前述のごとく、ひとつのタイミングおよび基地局装置１４を選択する。さらに、特定部１１６は、ひとつのタイミングおよび基地局装置１４をタイミング情報信号２２２として出力する。これは、当該基地局装置１４との通信の指示に対応する。
【００５１】
図７は、端末装置１０が動作すべきタイミングの概要を示す。最上段に図２（ａ）と同様のフレームを示す。ここでは、基地局装置１４との通信を開始する前の処理に対応するので、スロット１からスロット８は、上り回線あるいは下り回線に区別されない。そのため、便宜上、フレームに相当した期間に含まれた８つのスロットに対して、単にスロット１からスロット８の番号を付与している。オープンサーチの場合、８つのスロットのすべての期間において、端末装置１０が動作する。すなわち、前述のごとく、制御信号の検出が、連続的に実行される。オープンサーチの結果、スロットに対応したタイミングが検出される。ここで、スロットの先頭のタイミングが検出される。
【００５２】
そのため、アレイサーチの場合、図示のごとく、スロットの先頭部分の期間において、端末装置１０が動作する。なお、スロットの先頭部分の期間は、オープンサーチによって検出されたタイミングにもとづいて決定される。アレイサーチの結果、端末装置１０は、スロット１、スロット２、スロット６、スロット７のいずれかに対応した基地局装置１４での通信を決定したとする。また、当該基地局装置１４によって割り当てられた通信用のスロットがスロット４とスロット８である。スロット４とスロット８のうちの一方が、上り回線のスロットに相当し、他方が、下り回線のスロットに相当する。その結果、通信の場合、スロット４、スロット８において、端末装置１０が動作する。そのため、フレーム全体に対する制御信号の検出とアダプティブアレイ信号処理を別々のタイミングで実行しつつ、両方とも実行できる。
【００５３】
以上の構成による端末装置１０の動作を説明する。図８は、端末装置１０において、タイミング同期の確立手順を示すフローチャートである。処理部２２は、アンテナ１２の特性を無指向性に設定し、同期部２８は、オープンサーチを実行する（Ｓ１０）。信号検出部１１０が制御信号を検出すれば（Ｓ１２のＹ）、特定部１１６は、当該制御信号に対応したタイミングとＩＤとを記録する（Ｓ１４）。信号検出部１１０が制御信号を検出しなければ（Ｓ１２のＮ）、ステップ１４をスキップする。特定部１１６は、所定数のタイミングを検出した場合（Ｓ１６のＹ）、あるいは所定数のタイミングを検出しなくても（Ｓ１６のＮ）、第２期間を経過した場合（Ｓ１８のＹ）、特定部１１６は、アレイサーチのための同期窓を開くタイミングを設定する（Ｓ２０）。一方、第２期間を経過していなければ（Ｓ１８のＮ）、ステップ１０に戻る。設定された同期窓の期間において、処理部２２と同期部２８は、アレイサーチを実行する（Ｓ２２）。特定部１１６は、通信対象となる基地局装置１４とタイミングを特定する（Ｓ２４）。なお、アレイサーチは、遅くとも第１期間の終了まで実行される。端末装置１０は、当該基地局装置１４と通信する（Ｓ２６）。
【００５４】
図９は、オープンサーチの手順を示すフローチャートである。これは、図８のステップ１０に相当する。変復調部２４は、変復調部側信号２０２を復調し（Ｓ３０）、復調信号２２０を出力する。信号検出部１１０は、変復調部側信号２０２に対してユニークワードサーチを実行する（Ｓ３２）。また、信号検出部１１０は、ユニークワードサーチを実行した変復調部側信号２０２に対してＣＲＣ（Cyclic Redundancy Check）チェックを実行する（Ｓ３４）。ユニークワードを検出し、かつＣＲＣチェックにおいて誤りを検出しなかった場合が、ユニークワードを検出した場合に相当する。信号検出部１１０がユニークワードを検出した場合（Ｓ３６のＹ）、特定部１１６は、当該ユニークワードを含んだ制御信号のタイミングとＩＤを取得する（Ｓ３８）。一方、信号検出部１１０がユニークワードを検出しなかった場合（Ｓ３６のＮ）、ステップ３０に戻る。
【００５５】
本発明の実施例によれば、第１段階として、アダプティブアレイ信号処理を実行せずに連続的に受信した信号からタイミングを特定し、第２段階として、第１段階において特定したタイミングをもとに、アダプティブアレイ信号処理を一部の期間において実行しながらタイミングを特定するので、連続的な制御信号の検出とアダプティブアレイ処理の実行とのタイミングをずらすことができる。また、連続的な制御信号の検出とアダプティブアレイ処理を実行するので、処理量の増加を抑えつつ、検出精度を改善できる。また、アダプティブアレイ信号処理を実行すべき期間は、タイムスロットの一部の期間であるので、当該期間以外の期間においてアダプティブアレイ信号処理を停止できる。また、最初に無指向性のアンテナ特性によって、連続的に信号を受信するので、ある程度の信号強度を有した信号を検出できる。
【００５６】
また、オープンサーチとアレイサーチを第１期間の間に終了するので、通信システムに与える影響を小さくできる。また、オープンサーチから、アレイサーチへの切替は、検出した制御信号の数によって行われるので、アレイサーチにおいて制御信号が検出できないという状況を低減できる。また、オープンサーチにおいて検出できた制御信号の数が小さくても、第２期間を経過すれば、オープンサーチからアレイサーチに切りかわるので、切替を実行できる。また、基地局装置が所定のスロットに信号を割り当ててから送信を実行する場合であっても、スロットに対するタイミングを特定できる。また、アダプティブアレイ信号処理の実行を停止する期間も存在するので、処理量の増加を抑えることができる。また、タイミングの特定を行いつつ、当該タイミングに対応した基地局装置も特定できる。また、タイミング同期を確立した後の通信の段階に進行できる。
【００５７】
（実施例２）
本発明の実施例２は、実施例１と同様に、オープンサーチを実行してから、アレイサーチを実行する端末装置に関する。実施例２では、オープンサーチをリアルタイムに実行せずに、復調された信号をメモリに記憶してから、メモリに記憶された信号に対して、オープンサーチを実行する。このような処理によれば、ユニークワードの検出に要する期間が、信号を受信するために要する期間よりも短い場合に、検出処理の間欠的な動作が可能であるので、処理の停止期間を長くできる。その結果、消費電力の低減も可能である。さらに、一旦記憶した信号を処理するので、より高度な処理も可能になり、ユニークワードの検出精度も向上できる。しかしながら、オープンサーチにおいて、すべてのスロットを記憶する必要があるので、処理に必要なメモリの記憶容量が大きくなってしまう。
【００５８】
実施例２では、以下のように処理することによって、メモリの記憶容量を小さくする。端末装置は、１スロットに相当したデータ量を記憶可能なメモリを備え、受信したデータを当該メモリに巡回的に上書きしながら記憶する。一方、ユニークワード検出は、１／２スロットに相当したデータ単位（以下、「検出単位」という）で行い、さらに検出単位に相当したデータのメモリへの記憶処理よりも高速に処理される。その結果、メモリに記憶したデータがフルになる前に、ユニークワード検出を実行したデータが削除されるので、メモリの記憶容量が、１スロットに対応したデータ量であっても、受信したデータを欠落させることなくユニークワード検出の処理が可能になる。
【００５９】
図１０は、実施例２に係る同期部２８の構成を示す。ここでは、処理部２２、変復調部２４も示す。同期部２８は、ＢＢコントローラ部１２０、ＯＳＣ１２２、記憶部１２４、ＵＷ検出部１２６、基地局情報格納部１２８を含む。また信号として、サンプルカウンタ値２０４、スロットカウンタ値２０６、サンプリングクロック２０８を含む。なお、説明を明瞭にするために、以下の処理はオープンサーチの場合を対象にするが、アレイサーチの場合においても、同様の処理が実行される。
【００６０】
ＯＳＣ１２２は、一定間隔のタイミングを示したサンプリングクロック２０８を出力する。ＢＢコントローラ部１２０は、サンプリングクロック２０８によって、変復調部側信号２０２に含まれたデータに番号を割り当て、当該番号が与えれられた変復調部側信号２０２を出力する。最終的には、当該番号にもとづいて、所定の基地局装置１４からのスロットに対するタイミングを記憶する。具体的には、データの番号を示すためにサンプルカウンタ値２０４とスロットカウンタ値２０６を出力する。スロットカウンタ値２０６はスロットの番号ｎを示し、サンプルカウンタ値２０４はスロット内のデータの番号ｍを示す。スロット開始位置をｆとすれば、受信した信号のタイミング番号ｘは、次の通り示される。
【００６１】
（数１）
ｘ  ＝  ｆ＋ｎ×ｍ
記憶部１２４は、サンプルカウンタ値２０４で示された番号ｍに対応したアドレスに変復調部側信号２０２を記憶する。記憶部１２４の記憶容量は、１スロット分のデータ量であり、これは、前述の番号ｍの最大値に相当する。１スロットの期間が終了すれば、番号ｍはリセットされるため、変復調部側信号２０２は巡回的に上書きされる。
【００６２】
ＵＷ検出部１２６は、記憶部１２４に記憶された信号に対して、検出単位でユニークワード検出を実行する。ユニークワードが検出された場合、対応するＳＳのタイミング番号を変復調部２４に報告する。また、ひとつの基地局装置１４に対するタイミングが、無線伝搬環境の影響で複数検出される場合もあるが、ＵＷ検出部１２６は受信電力値等にもとづいてひとつのタイミングを選択する。ＵＷ検出部１２６は、ひとつのスロットの期間より短い期間をひとつの検出単位としながら、記憶された信号からユニークワードを間欠的に検出する。なお、ＵＷ検出部１２６は、記憶部１２４のうち、複数の検出単位にわたってユニークワードが記憶されている場合に、これを検出するために、複数の検出単位に含まれたユニークワードを検出する
【００６３】
変復調部２４は、前述のごとく、変復調部側信号２０２を遅延検波する。ＵＷ検出部１２６からＳＳのタイミング番号の報告を受けた場合、それに対応したＣＲＣのタイミング番号にもとづいてＣＲＣチェックを行う。ＣＲＣチェックの結果、ＣＲＣエラーがなければタイミングを検出できたとする。そのとき、ＵＷ検出部１２６は、ＳＳのタイミング番号をスロットの先頭のタイミングに決定する。なお、実施例１のように、ＣＲＣチェックが、同期部２８においてなされてもよい。基地局情報格納部１２８は、オープンサーチの際に検出した基地局装置１４のタイミング番号やその他の情報を記憶する。記憶内容の詳細については、後述する。
【００６４】
図１１は、ＢＢコントローラ部１２０の構成を示す。ＢＢコントローラ部１２０は、サンプルカウンタ７０、スロットカウンタ７２、バッファ７４を含む。サンプルカウンタ７０は、サンプリングクロック２０８のタイミングにおいて、サンプルカウンタ値２０４を生成する。ひとつのスロットは前述のごとく１２０シンボルであり、ひとつのシンボルを１００倍サンプリングしているので、サンプルカウンタ値２０４によって示される番号ｍは、０から１１９９９の値になる。スロットカウンタ７２は、スロットカウンタ値２０６を示す。バッファ７４は、サンプルカウンタ値２０４とスロットカウンタ値２０６に変復調部側信号２０２を対応づける。
【００６５】
図１２は、ＵＷ検出部１２６の動作概要を示す。ここでは、ｘ番目のスロットｘとｘ＋１番目のスロットｘ＋１を処理の対象として、スロットｘ＋１に含まれたユニークワードを検出する場合を説明する。記憶部１２４には、１スロットに対応したデータが記憶されるので、図中の「書き込み対象データ」と示した期間のデータが、左端をスタートアドレスとして書き込まれる。ＵＷ検出部１２６はユニークワード検出のために、図中の「読み出し対象データ」と示した区間のデータを２回に分けて読み出す。さらに、読み出したデータの期間の先頭や最後尾にユニークワードの一部が含まれている場合を考慮して、その前後のデータを含めた形で、図中の「ＵＷ検出対象データ」と示した期間においてユニークワード検出が実行される。ユニークワードがふたつの検出単位にまたがっている場合を考慮して、ＵＷ検出対象データは、検出単位に対して、ユニークワードの長さからひとつのシンボル長を減じたデータ量だけシフトされている。ここでは、ふたつ目の「読み出し対象データ」に対してユニークワード検出を行った場合に、ユニークワードが検出される。
【００６６】
図１３は、基地局情報格納部１２８に記憶された情報のデータ構造を示す。図１３のデータ構造は、図４のデータ構造と同様に、Ｎｏ．欄１５０、タイミング欄１５２、ＩＤ欄１５４を有する。ここで、タイミング欄１５２には、スロットの先頭に対応したタイミング番号が入力される。ここでは、５つの基地局装置１４が検出されている。スロットの先頭に対応したタイミングＴｓｓは、ユニークワードに対応したタイミングＴｕｗをもとに、次の計算によって導出される。
（数２）
Ｔｓｓ＝Ｔｕｗ−Ｃｐｒ−Ｃｓｓ
【００６７】
ここで、Ｃｐｒは、プリアンブルの期間に対応したカウント値、Ｃｓｓは、スタートシンボルの期間に対応したカウント値を示す。すなわち、プリアンブルの期間とスタートシンボルの期間によって、ユニークワードに対応したタイミングを前方にシフトさせることによって、スロットの先頭に対応したタイミングが導出される。ＵＷ検出部１２６は、複数のスロットの先頭に対応したタイミングに対して、数１を適用し、数１のｆ、すなわちスロット開始位置を導出する。
【００６８】
以上の構成による端末装置１０の動作を説明する。図１４は、タイミングを取得する処理を示すフローチャートである。記憶部１２４は、受信した変復調部側信号２０２を記憶する（Ｓ６０）。変復調部側信号２０２が記憶部１２４に検出単位分記憶されていなければ（Ｓ６２のＮ）、ＵＷ検出部１２６はユニークワード検出を行わずに、変復調部側信号２０２が記憶されるのを待つ。一方、変復調部側信号２０２が記憶部１２４に検出単位分記憶されれば（Ｓ６２のＹ）、ＵＷ検出部１２６は間欠的にユニークワード検出を行う。ユニークワードを検出できなければ（Ｓ６４のＮ）、ステップ６０からの処理を繰り返す。
【００６９】
一方、ユニークワードを検出できれば（Ｓ６４のＹ）、ユニークワードに対応したスロットの先頭のタイミングを基地局情報格納部１２８に記憶する（Ｓ６６）。また、変復調部２４が変復調部側信号２０２を復調し、復調信号２２０を基地局情報格納部１２８に記憶する（Ｓ６８）。さらに、変復調部２４がＣＲＣチェックを行って（Ｓ７０）、ＣＲＣエラーがなければ（Ｓ７２のＹ）、スロットの先頭のタイミングを取得する（Ｓ７４）。一方、ＣＲＣエラーがあれば（Ｓ７２のＮ）、ステップ６０からの処理を繰り返す。
【００７０】
図１５は、受信したデータを記憶する処理を示すフローチャートである。サンプルカウンタ７０は、ｓａｍｐｌｅ＿ｃｏｕｎｔを０に設定する（Ｓ８０）。なお、ｓａｍｐｌｅ＿ｃｏｕｎｔは前述のスロット内のデータの番号ｍと同一である。ｓａｍｐｌｅ＿ｃｏｕｎｔが１２０００以上でなければ（Ｓ８２のＮ）、ＢＢコントローラ部１２０は、ｓａｍｐｌｅ＿ｃｏｕｎｔをデータ格納アドレスとして、記憶部１２４に変復調部側信号２０２を出力する（Ｓ８４）。一方、ｓａｍｐｌｅ＿ｃｏｕｎｔが１２０００以上になれば（Ｓ８２のＹ）、ｓａｍｐｌｅ＿ｃｏｕｎｔをリセットする。変復調部側信号２０２が終了しなければ（Ｓ８６のＮ）、ｓａｍｐｌｅ＿ｃｏｕｎｔに１を加算する（Ｓ８８）。以上の処理は、変復調部側信号２０２が終了するまで（Ｓ８６のＹ）実行する。
【００７１】
以上の構成による端末装置１０の動作を説明する。処理部２２は、無線部側信号２００を受けつけ、アダプティブアレイ信号処理を実行せずに、変復調部側信号２０２として出力する。ＢＢコントローラ部１２０は、タイミングを示す番号を割り当てながら、変復調部側信号２０２を記憶部１２４に１スロット単位で記憶する。ＵＷ検出部１２６は、検出単位によって、記憶部１２４に記憶されたデータに対してユニークワード検出を実行する。ユニークワードが検出されれば、変復調部２４は復調した後にＣＲＣチェックを実行する。ＣＲＣエラーがなければ、スロットの先頭に対応した番号をタイミングとして、基地局情報格納部１２８に記憶する。以上の動作を複数の基地局装置１４に対して行い、所定の条件になれば、オープンサーチを終了する。オープンサーチ終了後、アレイサーチが実行される。
【００７２】
本発明の実施例によれば、受信したデータを記憶する容量が、１スロットに相当したデータ量ですむために、記憶容量を削減できる。また、記憶部に受信した信号を記憶するための処理期間よりも短い期間で、ユニークワードの検出処理を実行できるため、ユニークワードの検出処理を間欠的に実行でき、処理効率を向上できる。また、一旦データを記憶するため、複雑な処理も可能になり、ユニークワードの検出確率を向上できる。
【００７３】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００７４】
本発明の実施例１と２において、通信システム１００は簡易型携帯電話システムとして説明した。しかしながらこれに限らず、通信システム１００は携帯電話システムであってもよい。つまり、所定のスロットに含まれたユニークワードを検出して、基地局装置１４と端末装置１０との間のタイミング同期を確立するシステムであれば、本発明を適用可能である。本変形例によれば、様々なシステムに適用できる。
【００７５】
本発明の実施例２において、ＵＷ検出部１２６は、検出単位として、１／２スロットに相当したデータ単位でユニークワード検出している。しかしこれに限らず例えば、１／３や１／４であればよい。本変形例によれば、回路規模を小さくできる。つまり、検出単位は、記憶部１２４での記憶容量より小さいデータ量であればよい。
【図面の簡単な説明】
【００７６】
【図１】実施例１に係る通信システムの構成を示す図である。
【図２】図２（ａ）−（ｂ）は、図１のフレームの構成とスロットの構成を示す図である。
【図３】図１の端末装置の構成を示す図である。
【図４】図３の同期部に記憶された情報のデータ構造を示す図である。
【図５】図３の処理部の構成を示す図である。
【図６】図３の同期部の構成を示す図である。
【図７】図３の端末装置が動作すべきタイミングの概要を示す図である。
【図８】図３の端末装置において、タイミング同期の確立手順を示すフローチャートである。
【図９】図８のオープンサーチの手順を示すフローチャートである。
【図１０】実施例２に係る同期部の構成を示す図である。
【図１１】図１０のＢＢコントローラ部の構成を示す図である。
【図１２】図１０のＵＷ検出部の動作概要を示す図である。
【図１３】図１０の基地局情報格納部に記憶された情報のデータ構造を示す図である。
【図１４】図１０の同期部において、タイミングを取得する処理を示すフローチャートである。
【図１５】図１０の同期部において、受信したデータを記憶する処理を示すフローチャートである。
【符号の説明】
【００７７】
１０  端末装置、  １２  アンテナ、  １４  基地局装置、  ２０  無線部、  ２２  処理部、  ２４  変復調部、  ２６  ＩＦ部、  ２８  同期部、  ３０  制御部、  １００  通信システム、  １１０  信号検出部、  １１２  ＩＤ取得部、  １１４  カウンタ、  １１６  特定部。
【図１】
2006237936.tif 000003
【図２】
2006237936.tif 000004
【図３】
2006237936.tif 000005
【図４】
2006237936.tif 000006
【図５】
2006237936.tif 000007
【図６】
2006237936.tif 000008
【図７】
2006237936.tif 000009
【図８】
2006237936.tif 000010
【図９】
2006237936.tif 000011
【図１０】
2006237936.tif 000012
【図１１】
2006237936.tif 000013
【図１２】
2006237936.tif 000014
【図１３】
2006237936.tif 000015
【図１４】
2006237936.tif 000016
【図１５】
2006237936.tif 000017